(57)【要約】      （修正有） 【課題】液体容器の製造工程から販売迄に電源とメイン制御基板との通電を遮断し、使用者が最初に使用する前に、電源とメイン制御基板とを通電することにより、電源消費を極端に抑えて、長期的に液量、液温を検知する。【解決手段】検知ユニットの制御機構２４には、電源８と、液量、液温検知機構のメイン制御基板７と、液量、液温を表示する表示板９と、電源とメイン制御基板との間にあり、メイン制御基板と通電する端子板４１と、この電源と端子板との間にあって、電源と端子板との通電を阻止する抜取可能な遮蔽シール４３とを順次配設し、ユニット外装体には、制御体部の電源側に近い側壁に遮蔽シールの先端を外部に突出するシール抜取孔を設け、この液体容器の初期使用時前に遮蔽シールを抜取り、端子板を介して電源とメイン制御基板とを通電状態とする。【選択図】図４
2008307138.tif 000002
【特許請求の範囲】
【請求項１】
液体を収容する内容器（２）と、この内容器の上端外側に把手（３）とその反対側に注ぎ口（１４）とを備えた肩部材（４）と、肩部材の上端に内容器の上端開口を開閉する蓋体（５）と、内容器内の液量、液温を検知する液量、液温検知機構（２３）と、この液量、液温検知機構を操作する制御機構（２４）と、この両機構を収納するユニット外装体（２５）とを備えた検知ユニット（６）とを設け、内容器（２）内の液量と液温を示す液体容器（１）に於いて、上記検知ユニットの制御機構（２４）には、電源（８）と、液量、液温検知機構を操作するメイン制御基板（７）と、液量、液温を表示する表示板（９）と、電源とメイン制御基板との間にあり、メイン制御基板と通電する端子板（４１）と、この電源と端子板との間にあって、電源と端子板との通電を阻止する抜取可能な遮蔽シール（４３）とを順次配設し、ユニット外装体（２５）には、液量、液温検知機構（２３）を収納する垂下筒体部（２６）と、制御機構（２４）を収納する制御体部（３３）と、この垂下筒体部と制御体部とを繋ぐ連結空洞部（３４）とを一体的に設け、制御体部（３３）の電源側に近い側壁に遮蔽シール（４３）の先端を外部に突出するシール抜取孔（４２）を設け、この液体容器の初期使用時前に遮蔽シール（４３）を抜取り、端子板（４１）を介して電源（８）とメイン制御基板（７）とを通電状態とすることを特徴とした液体容器。
【発明の詳細な説明】
【技術分野】
【０００１】
本発明は、内容器内の液量と液温とを検知する検知ユニットを備えた液体容器に関するものである。 
【背景技術】
【０００２】
一般に、外側から液面を直接目視できない内容器内の液量を知るには、例えば上端開口、下端細口とした真空二重瓶構造の内容器を設け、この内容器の前面に揚水パイプを立設し、この揚水パイプ下端と内容器の下端細口とを連通し、この揚水パイプを液体容器正面より目視可能に設け、この揚水パイプの液面を通して内容器内の液量を確認できるようにした構造の液体容器が存在する。
【０００３】
しかしながら、このような従来の液体容器においては、内容器と連通して内容器前部に立設した揚水パイプの存在にて内容器内の液面が確認できるにすぎないために、内容器特に真空二重瓶等の上端開口しかなく、内容器と連通する揚水パイプの存在がない構造の液体容器としては、内容器内の液面即ち液量を全く知ることができないという問題点があった。
【０００４】
しかも、液面即ち液量と同様に内容器内特に真空二重瓶内の液温が所望の温度に保持されているかを知ることも全くできないという問題点があった。
【０００５】
そこで、本出願人は、内容器内に液量検知手段と液温検知手段とを備えた検知ユニットを装着し、液体容器の肩部材に空間部を設け、この空間部内に電源とメイン制御基板、液量、液温を表示する表示板を配置するようにした液体容器を発明し、既に特願２００７−６２７２４号として出願している。
【発明の開示】
【発明が解決しようとする課題】
【０００６】
ところが、このような液体容器では、製造工程の最終時に、肩部材の空間部に配置した電源側の電極端子とメイン制御基板側の電極端子とが接続され、電源側よりメイン制御基板側へと電流が流れて、メイン制御基板及びそれに連なる表示板を作動させ電源ＯＮの状態としており、使用者がお店よりこの液体容器を購入して使用する際には、既に液体容器内の電源が相当量消費された状態となって、電源不足により液量、液温を長期的に検知することができないという問題点があった。
【課題を解決するための手段】
【０００７】
本発明は、液体を収容する内容器２と、この内容器の上端外側に把手３とその反対側に注ぎ口１４とを備えた肩部材４と、肩部材の上端に内容器の上端開口を開閉する蓋体５と、内容器内の液量、液温を検知する液量、液温検知機構２３と、この液量、液温検知機構を操作する制御機構２４と、この両機構を収納するユニット外装体２５とを備えた検知ユニット６とを設け、内容器２内の液量と液温を示す液体容器１に於いて、上記検知ユニットの制御機構２４には、電源８と、液量、液温検知機構を操作するメイン制御基板７と、液量、液温を表示する表示板９と、電源とメイン制御基板との間にあり、メイン制御基板と通電する端子板４１と、この電源と端子板との間にあって、電源と端子板との通電を阻止する抜取可能な遮蔽シール４３とを順次配設し、ユニット外装体２５には、液量、液温検知機構２３を収納する垂下筒体部２６と、制御機構２４を収納する制御体部３３と、この垂下筒体部と制御体部とを繋ぐ連結空洞部３４とを一体的に設け、制御体部３３の電源側に近い側壁に遮蔽シール４３の先端を外部に突出するシール抜取孔４２を設け、この液体容器の初期使用時前に遮蔽シール４３を抜取り、端子板４１を介して電源８とメイン制御基板７とを通電状態とする構成としている。
【発明の効果】
【０００８】
本発明は、従来の問題点を解決したものであって、液体容器の製造工程から販売迄に電源とメイン制御基板との通電を遮断し、使用者が最初に使用する前に、電源とメイン制御基板とを通電することにより、メイン制御基板を操作可能として電源消費を極端に抑えて、長期的に液量、液温を検知することができる液体容器を提供するにある。
【発明を実施するための最良の形態】
【０００９】
液体容器１は、図１及び図３に示すように、卓上型のポットを示すものであって、液体容器本体を兼ねる内容器２の上端に把手３を一体的に備えた肩部材４を装着し、肩部材４の上端中央で内容器２の上端開口を開閉する蓋体５を着脱自在に装着し、内容器内の液量を検知する液量検知手段２１と、液温を検知する液温検知手段２２とを備えた液量、液温検知機構２３を装着し、この液量、液温検知機構を操作するメイン制御基板７と、メイン制御基板により液量及び液温を表示する表示板９と、メイン制御基板の駆動源である電源８とからなる制御機構２４を装着し、この液量、液温検知機構２３と制御機構２４とこの両機構を収納するユニット外装体２５とを備えた検知ユニット６とから構成している。
【００１０】
液体容器本体を兼ねる内容器２は、ステンレス等の金属製材料により内壁１０，外壁１１間を真空引きした真空二重瓶であって、底部を同質材料の底壁２０にて覆っている。
この内容器２は、上端開口以外の外側より内容器内の液面を目視することができない構造のものである。 
【００１１】
内容器２は、図３に示すように、上端開口を形成する周壁を上方に延ばした内壁１０と、内壁１０の周りを囲み上端に段部を形成して、その先端を内壁の上端開口を形成する周壁の上部に重ね合わせて溶着した外壁１１とを設け、外壁１１の段部外側に肩部材用のネジを刻設している。
【００１２】
肩部材４は、図３に示すように、内側に内容器２の肩部材用のネジに螺着する螺子部を備えた二重壁の肩部１２と、肩部１２の上端より下方中央に向けて延びた中空の受部１３と、受部１３の前方で二重壁を切り欠いて外方に延び受部中央と連通した注ぎ口１４と、受部１３の後方で二重壁の肩部１２の後方に大きく外方に延びた把手３とを一体的に設けている。
【００１３】
肩部材４の受部１３は、図２に示すように、中央中空を形成する周壁に後述の蓋体５を螺着する雌ネジを刻設している。この肩部材４の受部１３と二重壁の肩部１２との把手３に近い個所に後述の検知ユニット６を載置する切欠部１５を設けている。把手３の下端は、底壁２０に固定されている。
【００１４】
内容器２内の液量と液温を検知する検知ユニット６は、図２乃至図３に示すように、液量、液温を検知する液量、液温検知機構２３と、液量、液温検知機構を操作して表示する制御機構２４と、ユニット外装体２５とからなっている。この液量、液温検知機構２３は、内容器内の液量を検知する液量検知手段２１と、内容器内の液温を検知する液温検知手段２２とを備えている。
【００１５】
液量検知手段２１は、後述のユニット外装体２５の垂下筒体部２６の外壁に＋、−の一方の電極となる上下所定の間隔を隔てて配設した複数の電極子２７，２７と＋、−の他方の電極となる電極子２８を垂下筒体部２６の下壁に設けて、内容器２内の液体に浸かった下壁の電極子２８と上下に配設した液体に浸かった最上部の電極子２７間に電流が通じることで静電容量を検知し、制御機構２４のメイン制御基板７を通じて計測、制御機構の表示板９にて表示される。各電極子２７，２７、２８の配線は、垂下筒体部２６内を通り制御機構のメイン制御基板７へと通じている。
【００１６】
液温検知手段２２は、サーミスタ等の温度感知器３１で検知し、後述のユニット外装体２５の垂下筒体部２６の下壁に配置し、その配線は、垂下筒体部２６内を通り制御機構のメイン制御基板７へと通じ、表示板９にて表示する。
【００１７】
制御機構２４は、液量、液温検知機構２３にて検知した液量、液温全てのデータを処理するマイクロコンピュータを備えたメイン制御基板７と、処理されたデータを表示する表示板９と、これらを駆動する駆動源である電池や蓄電池等の電源８とからなっており、後述のユニット外装体２５の制御体部３３内に配置している。
【００１８】
ユニット外装体２５は、内容器２内に垂下する垂下筒体部２６と、把手３の近くで肩部１２より突出した制御体部３３と、この垂下筒体部と制御体部とを連結し、受部１３の切欠部１５に載置する連結空洞部３４とを一体的に設けている。
垂下筒体部２６は、上述のように、外壁に複数の電極子２７，２７と、下壁に電極子２８と温度感知器３１とを備え、各配線が垂下筒体部内を通っている。
【００１９】
制御体部３３内には、図４乃至図５に示すように、制御機構２４の電源８を電源カバー３５と共に奥に配置し、その上にメイン制御基板７と表示板９とを制御基板カバー３６と共に配置し、制御基板カバーを覆う固定板３７をビス３８止めし、固定板の中央空洞部内に透明板３９を配置し、透明板を覆うように透明シール４０を貼付しており、電源８の奥の端子側とメイン制御基板７の端子側とを連通する細い金属板からなる端子板４１を配置している。
４２は、シール抜取孔である。 
【００２０】
この電源８の奥の端子側とメイン制御基板７と連通した端子板４１との間には、液体容器１の製造、組立時には、抜取可能な遮蔽シール４３を配置して、電源８とメイン制御基板７との通電を阻止している。
【００２１】
この遮蔽シール４３は、液体容器１の製造、組立時にその先端が制御体部３３のシール抜取孔４２より抜きででおり、遮蔽シールを引き出すと電源８の端子側と端子板４１とが接続し、メイン制御基板７を通電することとなる。
【００２２】
この電源とメイン制御基板とを通電可能とする他の方法としては、小さな棒状体にて電源側に設けたスイッチを一旦押すと半永久的に両者通電する構造や又、磁石を近づけて電源側に設けたスイッチをオンする構造のものも考えられる。
【００２３】
ユニット外装体２５の連結空洞部３４は、図２に示すように、受部１３の切欠部１５に着脱自在に装着し、後述の蓋体５のシールパッキン４４と当接する受部１３の平坦面４５と面一となるように配置している。
【００２４】
蓋体５は、受部１３の蓋体用の雌ネジに螺着する雄ネジを備えた下蓋４６と、下蓋の上端を閉鎖する上蓋４７と、弁体４８を上蓋外側より上下動するレバー４９とを備え、レバーの操作により弁体４８周りを開放して内容器２内の液体を液通路を介して注ぎ口１４より外部へ注出する構造としている。
【００２５】
以上本発明の代表的と思われる実施例について説明したが、本発明は必ずしもこれら実施例構造のみに限定されるものではなく、例えば内容器を外装ケースで囲んだ卓上型魔法瓶のように本発明にいう前記の構成要件を備え、かつ、本発明にいう目的を達成し、本発明にいう効果を有する範囲内において適宜改変して実施することができるものである。
【図面の簡単な説明】
【００２６】
【図１】本発明実施例の斜視図。
【図２】本発明実施例の分解斜視図。
【図３】本発明実施例のＡ−Ａ縦断面図。
【図４】本発明他実施例の検知ユニットの縦断面図。
【図５】本発明他実施例の検知ユニットの分解断面図。
【符号の説明】
【００２７】
１…液体容器 
２…内容器 
３…把手 
４…肩部材 
５…蓋体 
６…検知ユニット 
７…メイン制御基板 
８…電源 
９…表示板 
１２…肩部 
１３…受部 
１４…注ぎ口 
１５…切欠部 
２１…液量検知手段 
２２…液温検知手段 
２３…液量、液温検知機構 
２４…制御機構 
２５…ユニット外装体 
２６…垂下筒体部 
２７，２７…電極子 
２８…電極子 
３１…温度感知器 
３３…制御体部 
３４…連結空洞部 
４１…端子板 
４２…シール抜取孔 
４３…遮蔽シール 
【図１】
2008307138.tif 000003
【図２】
2008307138.tif 000004
【図３】
2008307138.tif 000005
【図４】
2008307138.tif 000006
【図５】
2008307138.tif 000007